(57)【特許請求の範囲】
【請求項１】
ユーザ端末ＵＥがネットワークに付着した時、無線側ネットワークエレメントは、前記ＵＥとコアネットワークの間にインタラクションする非アクセス層ＮＡＳメッセージをモニタリングすることにより、ＵＥ識別情報をキャッチし、又は、前記無線側ネットワークエレメントは、前記ＵＥに識別要求を開始することにより、前記ＵＥ識別情報をキャッチすることと、
前記無線側ネットワークエレメントは、前記ＵＥがＰＳサービスを行う時に開始したＰＤＰアクティベーションフローを検出し、前記ＵＥのＩＰアドレスをキャッチし、且つキャッチしたＩＰアドレスを前記ＵＥ識別情報とマッチングすることと、
前記ＰＤＰアクティベーションが成功した時、前記無線側ネットワークエレメントは課金スタートをトリガーすることと、
前記無線側ネットワークエレメントは、前記ＵＥのデータトラフィック及びＩＰアドレスを収集し、且つ前記ＩＰアドレスとマッチングするＵＥ識別情報を検索し、且つ前記データトラフィックを前記ＵＥ識別情報と対応するＵＥの課金データ記録ＣＤＲ中に更新し、且つ前記ＣＤＲを課金ゲートウェイＣＧに送信することと、
を含む無線側ローカルトラフィックに対する課金方法。
【請求項２】
前記ＩＰアドレスとマッチングするＵＥ識別情報を検索するステップは、前記無線側ネットワークエレメントが、パケットデータプロトコルＰＤＰアクティベーションをモニタリングすることにより、前記ＰＤＰアクティベーションの時に有するＵＥのＩＰアドレスをキャッチし、且つ前記ＩＰアドレスをキャッチされたＵＥ識別情報とマッチングさせることを含む請求項１に記載の方法。
【請求項３】
前記ＰＤＰアクティベーションの後、前記無線側ネットワークエレメントは、課金スタートをトリガーし、ＵＥのＣＤＲを生成し、且つ前記ＵＥ識別情報及び課金スタート時間を前記ＣＤＲ中に充填することをさらに含む請求項２に記載の方法。
【請求項４】
前記無線側ネットワークエレメントは、ＵＥとコアネットワークの間にインタラクションするＮＡＳメッセージをモニタリングすることにより、課金終了をトリガーし、且つ課金終了時間を前記ＣＤＲ中に充填し、Ｇａインターフェースを介してＣＧに送信することをさらに含む請求項３に記載の方法。
【請求項５】
前記ＣＧは、ＵＥ識別情報、課金スタート時間及び課金終了時間に基づいて、前記ＣＤＲ及びＧＰＲＳサービスサポートノード課金データ記録Ｓ−ＣＤＲ、ゲートウェイＧＰＲＳサポートノード課金データ記録Ｇ−ＣＤＲをマージし、且つマージ結果を課金センターに報告することをさらに含む請求項４に記載の方法。
【請求項６】
ユーザ端末ＵＥがネットワークに付着した時、前記ＵＥとコアネットワークの間にインタラクションする非アクセス層ＮＡＳメッセージをモニタリングすることにより、ＵＥ識別情報をキャッチし、又は、前記ＵＥに識別要求を開始することにより、前記ＵＥ識別情報をキャッチし、前記ＵＥがＰＳサービスを行う時に開始したＰＤＰアクティベーションフローを検出し、前記ＵＥのＩＰアドレスをキャッチし、且つキャッチしたＩＰアドレスを前記ＵＥ識別情報とマッチングし、課金スタートの後、ＵＥのデータトラフィック及びＩＰアドレスを収集するように設置されるディープパケットインスペクションＤＰＩモジュールと、
ＰＤＰアクティベーションが成功した時、課金スタートをトリガーするように設置される課金制御モジュールと、
前記ＩＰアドレスとマッチングするＵＥ識別情報を検索し、且つ前記データトラフィックを前記ＵＥ識別情報と対応するＵＥの課金データ記録ＣＤＲ中に更新し、課金ゲートウェイＣＧに送信するように設置される課金情報生成モジュールと
を備える無線側ローカルトラフィックに対して課金する装置。
【請求項７】
前記ＤＰＩモジュールは更に、サービス開始及びサービス終止のＮＡＳメッセージをモニタリングするように設置され、
前記課金制御モジュールは更に、前記ＤＰＩモジュールが検出したサービス開始及びサービス終止のＮＡＳメッセージに基づいて課金終了をトリガーするように設置される請求項６に記載の装置。
【請求項８】
前記課金情報生成モジュールは更に、前記課金制御モジュールが課金スタートをトリガーする時、ＵＥのＣＤＲを生成し、且つ前記ＵＥ識別情報及び課金スタート時間を前記ＣＤＲ中に充填するように設置される請求項７に記載の装置。
【請求項９】
前記課金情報生成モジュールは更に、前記課金制御モジュールが課金終了をトリガーする時、課金終了時間を前記ＣＤＲ中に充填するように設置される請求項７に記載の装置。
【請求項１０】
Ｇａインターフェースを介して前記課金情報生成モジュールからの前記ＣＤＲをＣＧに送信するように設置されるＧａインターフェースモジュールを更に備える請求項８または９に記載の装置。
【発明の詳細な説明】
【技術分野】
【０００１】
本発明は通信分野に関し、特に無線アクセス側ＲＡＮでローカルオフロード等のトラフィックに対する課金サポート方法及び装置に関する。
【背景技術】
【０００２】
通信技術の発展及びスマートフォンの普及に伴って、無線通信システムでのデータトラフィックは急速な成長傾向を示し、すべてのトラフィックをコアネットワークに伝達して集中処理すると、コアネットワークの性能に大きな影響を与える。さらに、屋内のカバレッジを解決することは、今までずっと重要な難題である。データトラフィックの急速な成長及び屋内のカバレッジ等の問題を解決するために、小型基地局技術は盛んになっている。小型基地局中において、データトラフィックはコアネットワークを介さず、直接にローカルでオフロードする可能性がある。さらに、技術の発展に伴って、携帯電話が直接に基地局とインタラクションする場合が存在する可能性があり、すなわちトラフィックは無線側ですでに終結する。以下のいくつかの場合で、データはいずれもコアネットワークを通過せず、コアネットワークはこの部分のトラフィックの存在を感知することができず、これらのトラフィックを課金することもできない。従来の標準中においては、どのように無線側で課金をサポートするかについて関連方法及び技術を言及していない。
【０００３】
ＵＭＴＳシステム中において、ユーザがＰＤＰアクティベーションを行った後、ＧＰＲＳサービスサポートノードＳＧＳＮ及びウェブマスターＧＰＲＳサポートノードＧＧＳＮは、それぞれ今回のセッションを課金し、それぞれＳＧＳＮ課金記録データＳ−ＣＤＲ及びＧＧＳＮ課金記録データＧ−ＣＤＲを生成し、この２つの課金記録をＧａインターフェースを介して課金ゲートウェイＣＧに伝達し、ＣＧはこの両者をマージし、マージ処理はＧＧＳＮアドレス及び課金ＩＤに基づき、課金ＩＤは課金スタートの時にＧＧＳＮが割当してＳＧＳＮに伝達したものであり、Ｓ−ＣＤＲ及びＧ−ＣＤＲ中にはいずれもＧＧＳＮアドレス及び課金ＩＤを携帯する。課金ゲートウェイマージ処理が終了後、総合的な課金情報全体を課金センターに伝達する。
【０００４】
関連技術中に言及した、ローカルでユーザトラフィック等の情報を収集する時、ローカルで生成したＣＤＲを直接にＣＧに転送することができる。該フローはどのように課金をトリガーし、課金を終了するか、及び取得したＣＤＲでの具体的な情報（例えば、ユーザ識別ＩＭＳＩ）を提供していないとともに、ローカル課金ＣＤＲを全体課金記録にマージする問題を解決していない。
【発明の概要】
【発明が解決しようとする課題】
【０００５】
本発明の実施例は無線側ローカルトラフィックに対する課金方法及び装置を提供し、無線アクセス側がローカルのデータトラフィックを課金する問題をより確実に解決することができる。
【課題を解決するための手段】
【０００６】
本発明の一実施例に基づいて、無線側ローカルトラフィックに対する課金方法を提供しており、  
無線側ネットワークエレメントは、ＵＥのデータトラフィック及びＩＰアドレスを収集すること；
前記ＩＰアドレスとマッチングするＵＥ識別情報を検索し、且つ前記データトラフィックを対応するＵＥの課金データ記録ＣＤＲ中に更新し、課金ゲートウェイＣＧに送信すること、を含む。
【０００７】
好ましくは、ＵＥとコアネットワークの間にインタラクションする非アクセス層ＮＡＳ報告をモニタリングすることにより、無線側ネットワークエレメントは、ＵＥ識別情報をキャッチし、相応なＣＤＲを検索する。
【０００８】
又は、ＵＥに識別要求を開始することにより、無線側ネットワークエレメントはＵＥ識別情報をキャッチし、相応なＣＤＲを検索する。
【０００９】
好ましくは、パケットデータプロトコルＰＤＰアクティベーションをモニタリングすることにより、無線側ネットワークエレメントは、前記ＰＤＰをアクティベーションする時に携帯しているＵＥのＩＰアドレスをキャッチし、且つ前記ＩＰアドレスをキャッチされたＵＥ識別情報とマッチングさせる。
【００１０】
好ましくは、ＰＤＰがアクティベーションされた後、無線側ネットワークエレメントは、課金スタートをトリガーし、ＵＥのＣＤＲを生成し、且つ前記ＵＥ識別情報及び課金スタート時間を前記ＣＤＲ中に充填する。
【００１１】
好ましくは、ＵＥとコアネットワークの間にインタラクションするＮＡＳ報告をモニタリングすることにより、無線側ネットワークエレメントは、課金終了をトリガーし、且つ課金終了時間を前記ＣＤＲに充填し、Ｇａインターフェースを介してＣＧに送信する。
【００１２】
好ましくは、ＵＥのユーザ識別、課金スタート時間及び課金終了時間に基づいて、前記ＣＧは、前記ＣＤＲ及びＧＰＲＳサービスサポートノード課金データ記録Ｓ−ＣＤＲ、ゲートウェイＧＰＲＳサポートノード課金データ記録Ｇ−ＣＤＲをマージし、且つマージ結果を課金センターに報告する。
【００１３】
本発明の別の一実施例は、無線側ローカルトラフィックに対する課金装置を提供しており、
ユーザ端末ＵＥのデータトラフィック及びＩＰアドレスを収集するように設置されるＤＰＩモジュール；及び
前記ＩＰアドレスとマッチングするＵＥ識別情報を検索し、且つ前記データトラフィックを、対応するＵＥの課金データ記録ＣＤＲ中に更新し、課金ゲートウェイＣＧに送信するように設置される課金情報生成モジュール、を備える。
【００１４】
好ましくは、前記装置は：
課金スタートをトリガーし、及び課金終了をトリガーするように設置される課金制御モジュールをさらに備える。
【００１５】
好ましくは、前記装置は
そのＧａインターフェースを介して前記ＣＤＲをＣＧに送信するように設置されるＧａインターフェースモジュールをさらに備える。
【発明の効果】
【００１６】
本発明の実施例は、ＵＥとコアネットワークの間のＮＡＳメッセージをモニタリングすることにより、ＵＥがサービスを開始または終了するかをモニタリングし、それにより課金スタートをトリガーしまたは終了し、コアネットワークの無線側ローカルトラフィックに対する効果的な課金を実現する。
【図面の簡単な説明】
【００１７】
【図１】図１は、本発明の実施例が提供する無線側ローカルトラフィックに対する課金の機能ブロック図である。
【図２】図２は、本発明の実施例が提供する無線側ローカルトラフィックに対する課金のシステムブロック図である。
【図３】図３は、本発明の実施例が提供する無線側ローカルトラフィックに対する課金装置のブロック図である。
【図４】図４は、本発明の実施例が提供する無線側ローカルトラフィックに対する課金のシステムフローチャートである。
【発明を実施するための形態】
【００１８】
以下、図面を参照しながら、本発明の好適な実施例を詳細に説明し、以下説明する好適な実施例は、本発明を説明及び解釈するものに過ぎず、本発明を限定するものではないと理解すべきである。矛盾がない場合、本願における実施例及び実施例における特徴は、互いに任意に組み合せることができる。
【００１９】
ＵＥがネットワークとサービス接続する時、標準に従って、ＳＳＧＮ及びＧＧＳＮは、それぞれ課金を行い、且つＳ−ＣＤＲ及びＧ−ＣＤＲを生成する。本発明の実施例は、無線側ローカルトラフィックに対する課金方法及び装置を提供しており、それはＲＡＮ側ローカルのデータフローに対して課金を行い、つまり、  ＲＡＮ側上で終結するまたはローカルでオフロードするトラフィックがあると、ＲＡＮ側は課金をサポートする必要もある。以下、図１〜図４を参照しながら、本発明を詳細に説明する。
【００２０】
図１は、本発明の実施例が提供する無線側ローカルトラフィックに対する課金の機能ブロック図であり、図１に示すところのもの含んでいる。
ステップＳ１０１；  無線側ネットワークエレメントは、ＵＥのデータトラフィック及び対応するＩＰアドレスを収集する。
ステップＳ１０２；  前記ＩＰアドレスとマッチングするＵＥ識別情報を検索し、且つ前記データトラフィックを、対応するＵＥの課金データ記録ＣＤＲ中に更新し、課金ゲートウェイＣＧに送信する。
【００２１】
そのうち、ＵＥがネットワークに付着した後、無線側ネットワークエレメントは、ＵＥとコアネットワークの間にインタラクションする非アクセス層ＮＡＳ報告をモニタリングすることにより、またはＵＥに識別要求を開始することにより、ＵＥ識別情報をキャッチする。ＵＥがＰＤＰアクティベーションフローを開始する時、無線側ネットワークエレメントは、前記ＰＤＰをアクティベーションする時に携帯しているＵＥのＩＰアドレスをキャッチし、且つそれを前記ＵＥ識別情報とマッチングさせ、且つＰＤＰアクティベーションが成功後、課金スタートをトリガーし、ＵＥのＣＤＲを生成し、ＵＥ識別情報及び課金スタート時間を前記ＣＤＲ中に充填する。ローカルトラフィックが発生した時、無線側ネットワークエレメントは、収集したＩＰアドレス及びＵＥ識別情報の間のマッチング関係を介して、ＵＥと対応するＣＤＲを見つけることができ、生じたローカルトラフィックを記録する。無線側ネットワークエレメントは、ＵＥとコアネットワークの間にインタラクションするＮＡＳ報告をモニタリングすることにより、ＵＥがサービスを終止したと確定した時、課金終了をトリガーし、且つ課金終了時間を前記ＣＤＲ中に充填し、Ｇａインターフェースを介して前記ＣＤＲをＣＧに送信し、それにより、前記ＣＧは、ＵＥ識別情報、課金スタート時間及び課金終了時間に基づいて、前記ＣＤＲ及びＳ−ＣＤＲ、Ｇ−ＣＤＲをマージし、且つマージ結果を課金センターに報告する。
【００２２】
図２は、本発明の実施例が提供する無線側ローカルトラフィックに対する課金のシステムブロック図であり、図２に示すように、無線側ネットワークエレメント（すなわちＲＡＮ設備、ＮｏｄｅＢ）、ＳＳＧＮ、ＧＧＳＮ、ＣＧ、課金センターを含み、無線アクセス側で課金をサポートすることをサポートするために、ＲＡＮ設備は、ＵＥのＮＡＳメッセージをモニタリングする必要があり、前記システムのワークフローは、以下のとおりである。
【００２３】
１．ユーザがネットワークに付着した時、ＲＡＮ設備はＵＥ識別情報をキャッチする。前記識別情報は、ＩＭＳＩ、ＩＭＥＩであってもよい。ユーザがネットワークに付着した時、前記ＵＥ識別情報をキャッチすることができないと、ＲＡＮ設備は、識別要求Ｉｄｅｎｔｉｔｙ  Ｒｅｑｕｅｓｔフローをシミュレートして行い、ＵＥ識別情報をキャッチする。
【００２４】
２．ＲＡＮ設備は、ＰＤＰアクティベーションフローをモニタリングし、ＵＥのＩＰアドレスをキャッチし、且つそれを前記ＵＥ識別情報とマッチングさせ、且つ課金スタートをトリガーする。
【００２５】
３．ＲＡＮ設備は、周期的にローカルで処理（ローカルオフロード及びローカル終結を含む）するデータトラフィック及び相応なＩＰアドレスを収集し、且つ前記ＩＰアドレスに基づいてそれとマッチングするＵＥ識別情報を検索し、前記データトラフィックをこのＵＥのＣＤＲ中に更新する。前記ＣＤＲは、ＵＥの識別情報、上りリンクのデータトラフィック、下りリンクのデータトラフィック、課金スタート時間及び課金終了時間等を含む。
【００２６】
４．ＲＡＮ設備は、ＮＡＳメッセージをモニタリングし、ＵＥがサービスを終止したとモニタリングした時、すなわちセッションが終了した時、課金終了をトリガーし、且つＧａインターフェースを介してＣＤＲをＣＧに送信する。
【００２７】
５．ＣＧが前記ＣＤＲを受信した後、ＵＥ識別情報及び課金発生のスタート時間と終了時間等の情報に基づいて、無線側のＣＤＲを全体のＣＤＲ中にマージし、その後課金センターに伝達する。すなわち、マージフローの入力が、無線側に生成したＣＤＲ、ＳＳＧＮからのＳ−ＣＤＲ、及びＧＧＳＮからのＧ−ＣＤＲを含む。
【００２８】
図３は、本発明の実施例が提供する無線アクセスネットワークエレメントの関連機能モジュールの模式図であり、図３に示すように、課金をサポートするために、主に、ＤＰＩ（Ｄｅｅｐ  Ｐａｃｋｅｔ  Ｉｎｓｐｅｃｔｉｏｎ、ディープパケットインスペクション）モジュール、課金情報生成モジュール、課金制御モジュール、Ｇａインターフェースモジュールを備える。
【００２９】
前記ＤＰＩモジュールは、ＵＥのデータトラフィック及び対応するＩＰアドレスを収集することに用いられ、具体的に、前記ＤＰＩモジュールの主な機能は、ＮＡＳメッセージを感知することであり、以下のことを含む。
【００３０】
１．課金情報の収集を担当し、ローカル処理（例えば、ローカルオフロードまたはローカル終結）のデータトラフィック及びデータトラフィックに対応する送信元ＩＰアドレス及び宛先ＩＰアドレスを含む。ユーザがｓｏｈｕにアクセスすることを例とし、上りリンクする時、すなわちユーザ→ｓｏｈｕである時、送信元ＩＰアドレスはユーザのＩＰアドレスであり、宛先ＩＰアドレスはｓｏｈｕサーバのＩＰアドレスである。下りリンクする時、すなわちｓｏｈｕ→ユーザである時、送信元ＩＰアドレスはｓｏｈｕサーバのＩＰアドレスであり、宛先ＩＰアドレスはユーザのＩＰアドレスである。上りリンクまたは下りリンクにもかかわらず、主に抽出して分かる必要があるのはユーザのＩＰアドレスである。
【００３１】
２．コアネットワークとＵＥの間のＮＡＳメッセージをモニタリングし、ＵＥ識別情報及びＩＰアドレスをキャッチする。
【００３２】
３．サービス開始及びサービス終止のＮＡＳメッセージをモニタリングし、それにより課金制御モジュールは、課金スタートをトリガーし及び課金終了をトリガーする。
【００３３】
前記課金制御モジュールは、課金スタートをトリガーし及び課金終了をトリガーするように設置され、主として、ＤＰＩモジュールの入力を受信し、ＵＥ識別情報とＩＰアドレスの対応関係をメインテナンスし、セッションスタート及び終了等を知り、それにより課金のスタート及び終了をトリガーする。ＤＰＩモジュールがキャッチした情報中にＵＥ識別情報をキャッチしていないと、Ｉｄｅｎｔｉｔｙ  Ｒｅｑｕｅｓｔフローをシミュレートして行い、ＵＥ識別情報をキャッチする。
【００３４】
前記課金情報生成モジュールは、前記ＩＰアドレスとマッチングするＵＥ識別情報を検索し、且つ収集したデータトラフィックを、対応するＵＥのＣＤＲ中に更新し、課金ゲートウェイＣＧに送信するように設置される。つまり、課金情報生成モジュールに対して、それは以下の主な機能を有する。
【００３５】
１．課金制御モジュールに制御され、課金スタートをトリガーした時、１つのＣＤＲを生成し、且つそのうちのスタティック部分を充填し、ＵＥ識別情報、課金スタート時間等を含む。
【００３６】
２．定期的にＤＰＩモジュールから課金情報を抽出し、課金情報中でのＵＥのＩＰアドレスに基づいて対応するＵＥ識別情報にマッチングし、それによりデータトラフィックをＵＥのＣＤＲ中の対応フィールドに更新する。前記データトラフィックが上りリンクのデータトラフィック及び下りリンクのデータトラフィックを含む。
【００３７】
３．課金制御モジュールが終了をトリガーした時、ＣＤＲ中での課金終了時間を充填し、且つＣＤＲをＧａインターフェースモジュールに伝達する。
【００３８】
前記Ｇａインターフェースモジュールは、そのＧａインターフェースを介して前記課金情報生成モジュールからのＣＤＲをＣＧに送信することに用いられる。つまり、Ｇａインターフェースモジュールの主な機能は、課金報告通路の作成であり、Ｇａインターフェースを実現し、すなわちＧＴＰプロトコルを実現する必要があり、それによりＣＤＲを基地局から課金ゲートウェイＣＧに報告することを実現する。
【００３９】
図４は、本発明の実施例が提供する無線側ローカルトラフィックに対する課金のシステムフローチャートであり、図４に示すように、以下のことを含む。
【００４０】
１．ＵＥがネットワークに付着した時、すなわちＵＥがその相関情報をコアネットワークに報告してブートする時、ＵＥはコアネットワークとＮＡＳメッセージインタラクションを行い、その中にＵＥ識別情報を携帯する。ＤＰＩモジュールは、モニタリングし、前記ＵＥ識別情報（例えば、ＩＭＳＩ，ＩＭＥＩ等）をキャッチし、キャッチしていないと、無線側ネットワークエレメントは、Ｉｄｅｎｔｉｔｙ  Ｒｅｑｕｅｓｔフローを開始し、ＵＥ識別情報をキャッチする。
【００４１】
前記Ｉｄｅｎｔｉｔｙ  Ｒｅｑｕｅｓｔフローは、コアネットワークとＵＥの間の１つの過程であり、ＵＥ識別情報をキャッチするために、無線側ネットワークエレメントは、ＵＥにＩｄｅｎｔｉｔｙ  Ｒｅｑｕｅｓｔメッセージをシミュレート送信し、ＵＥにその識別情報を報告するように要求し、ＵＥが報告した後、無線側ネットワークエレメントは、このメッセージをインターセプトし、且つインターセプトされたメッセージ中からＵＥ識別情報を解析する。
【００４２】
２．ＵＥがＰＳサービスを行う時、ＰＤＰアクティベーションフローを開始し、前記ＰＤＰアクティベーションフロー中にＧＧＳＮがＵＥに割当したＩＰ情報を携帯し、ＤＰＩモジュールは、ＵＥのＩＰアドレスを検出し、そのＩＰアドレスとステップ１でキャッチしたＵＥ識別情報をマッチングさせる。
【００４３】
上下りリンクデータトラフィックを収集する過程中において相応なＩＰアドレスのみを抽出することができて、ＣＤＲ中にあるのがＵＥ識別情報であるため、従ってＩＰアドレス及びＵＥ識別情報をマッチングさせる必要がある。
【００４４】
３．ＰＤＰアクティベーションが成功した時、課金制御モジュールは、課金スタートをトリガーし、課金情報生成モジュールは１つのＣＤＲを生成し、且つそのうちのスタティック部分を充填し、ＵＥ識別情報、課金スタート時間等を含む。
【００４５】
４．ＤＰＩモジュールは、ローカル処理したデータトラフィックがあると検出した時、このデータトラフィックの大きさ（上りリンク及び下りリンクを含む）及びデータトラフィックと対応するＵＥのＩＰアドレスを記録する。
【００４６】
５．課金情報生成モジュールは、定期的に前記データトラフィック及びそのＩＰアドレスを抽出し、且つＩＰに基づいてＵＥ識別情報にマッチングし、前記データトラフィックを対応するＵＥのＣＤＲ中に更新する。
【００４７】
６、ＤＰＩモジュールは、セッションが終了したＮＡＳメッセージを検出した時、即ちサービス接続が終止した時、課金制御モジュールは課金終了をトリガーする。
【００４８】
７．課金制御モジュールが課金終了をトリガーした時、課金情報生成モジュールは、ＣＤＲ中の課金終了時間等を充填し、且つＣＤＲをＧａインターフェースモジュールに伝達する。
【００４９】
８．Ｇａインターフェースモジュールは、前記ＣＤＲを課金ゲートウェイＣＧに伝達する。
【００５０】
９．ＣＧが前記ＣＤＲを受信した後、ＵＥ識別情報、課金スタート時間及び課金終了時間により、前記ＣＤＲ、Ｓ−ＣＤＲ及びＧ−ＣＤＲを関連させ、三者の課金情報をマージする。
【００５１】
無線側からのＣＤＲ、ＳＧＳＮからのＳ−ＣＤＲ、ＧＧＳＮからのＧ−ＣＤＲ中にはいずれもＵＥがインターネットにアクセスする時の課金スタート、終了時間、及びＵＥ識別情報を記録し、ＣＧは、同じまたは非常に似ている識別情報、及び課金スタート、終了時間のＣＤＲ、Ｓ−ＣＤＲ、Ｇ−ＣＤＲをマージし、つまりこの３つのＣＤＲを１つのＣＤＲにマージする。
【００５２】
１０．ＣＧは、マージ結果を課金センターに伝達する。
【００５３】
本発明の実施例は、ＲＡＮ側ローカルトラフィックを課金し、ＲＡＮ設備及びコアネットワークのネットワークエレメントのローカル課金情報に対する処理に関し、以上はＵＭＴＳシステムに基づいて行うことを説明したが、その原理及び技術は他のシステム、例えば、ＧＳＭ、ＣＤＭＡ、ＴＤ−ＳＣＤＭＡ、ＬＴＥ等に汎用されることができる。
【００５４】
以上のように、本発明の実施例下記の技術的効果を有する。
【００５５】
１．本発明の実施例は効果的に課金スタート、課金終了をトリガーすることにより、コアネットワークの無線側ローカルトラフィックに対する効果的な課金を実現する。
【００５６】
２．本発明の実施例はＵＥ識別情報、課金スタート及び終了時間により、無線側ＣＤＲを全体課金記録中にマージし、ローカル課金を全体課金記録中にマージする問題を解決する。
【００５７】
以上は、本発明の好適な実施案例に過ぎず、本発明を制限するものではなく、本発明は、更に他の複数種の実施例を有してもよく、本発明の趣旨とその実質を逸脱しない場合に、本分野に詳しい当業者は本発明に基づいて各種の相応する変更又は変形を行うことができ、これらの変更又は変形はいずれも本発明の請求の範囲の保護範囲に含まれる。
【００５８】
明らかなように、一般の当業者は、上記の本発明の各モジュールまたは各ステップを汎用の計算装置で実現してもよく、それらは単一の計算装置上に集中されてもよく、又は複数の計算装置からなるネットワーク上に分布してもよいと理解すべきであり、選択肢として、それらは計算装置が実行可能なプログラムコードで実現されてもよく、それにより、それらを記憶装置中に記憶して計算装置で実行することができ、且ついくつの場合下で、ここと異なる順次で、示したまたは記述したステップを実行してもよく、又はそれらをそれぞれ各集積回路モジュールに製作し、又はそれらのうちの複数のモジュールまたはステップを単一の集積回路モジュールに製作して実現してもよいと理解すべきである。このように、本発明はあらゆる特定形式のハードウェアとソフトウェアの組合せに限らない。
【産業上の利用可能性】
【００５９】
本発明の実施例は、コアネットワークの無線側ローカルトラフィックに対する効果的な課金を実現する。
【図１】
0005947984.tif 000002
【図２】
0005947984.tif 000003
【図３】
0005947984.tif 000004
【図４】
0005947984.tif 000005